(57)【要約】【課題】金型により成形されるレンズの外形のばらつきの影響を排除して、保持体（鏡筒）に対してレンズを位置精度良く取り付けること。【解決手段】レンズユニット５０は、レンズ部１２及びレンズ部１２を囲むフランジ部１４を有するレンズ１０と、フランジ部１４を押圧してレンズ１０を保持する保持体２０と、を備え、フランジ部１４の主面には、レンズ１０の光軸ＡＸに沿って延在する側面１７を有する突出部１５が形成され、保持体２０は、突出部１５の側面１７を押圧することでレンズ１０を保持する。【選択図】図２
2009229589.tif 000002
【特許請求の範囲】
【請求項１】
レンズ部及び当該レンズ部を囲むフランジ部を有するレンズと、
前記フランジ部を押圧して前記レンズを保持する保持体と、
を備えるレンズユニットであって、
前記フランジ部の主面には、前記レンズの光軸に沿って延在する側面を有する突出部が形成され、
前記保持体は、前記突出部の前記側面を押圧することで前記レンズを保持する、レンズユニット。
【請求項２】
前記保持体は、前記レンズを少なくとも部分的に受け入れる受け部を有し、
当該受け部には、前記保持体に対する前記レンズの取り付けに伴って、前記突出部が嵌め込まれることを特徴とする請求項１に記載のレンズユニット。
【請求項３】
前記レンズ及び前記保持体は、樹脂材料からなることを特徴とする請求項１又は２に記載のレンズユニット。
【請求項４】
前記側面は、前記レンズ部の外周に亘って形成されることを特徴とする請求項１乃至３のいずれか一項に記載のレンズユニット。
【請求項５】
前記突出部は、前記フランジ部の物体側の前記主面に形成されることを特徴とする請求項１乃至４のいずれか一項に記載のレンズユニット。
【請求項６】
複数の前記レンズを備え、
前記保持体は、複数の前記レンズ夫々に形成された前記突出部の前記側面を押圧して複数の前記レンズ夫々を保持することを特徴とする請求項１乃至５のいずれか一項に記載のレンズユニット。
【請求項７】
前記レンズの上面視形状を規定する前記レンズの側面は、前記保持体から離間していることを特徴とする請求項１乃至５のいずれか一項に記載のレンズユニット。
【請求項８】
前記レンズ部及び前記突出部は、共通の金型部品によって樹脂が成形されることで形成されることを特徴とする請求項１乃至７のいずれか一項に記載のレンズユニット。
【請求項９】
撮像素子と、
レンズ部及びフランジ部を有し、前記撮像素子上に配置されるレンズと、
前記フランジ部を押圧して前記レンズを保持する保持体と、
を備えるカメラモジュールであって、
前記フランジ部の主面には、前記レンズの光軸に沿って延在する側面を有する突出部が形成され、
前記保持体は、前記突出部の前記側面を押圧することで前記レンズを保持する、カメラモジュール。
【請求項１０】
保持体による押圧によって前記保持体に保持されるレンズを成形するための固定型又は移動型の金型であって、
前記レンズのレンズ部を成形するための第１部分と、
前記レンズのフランジ部を成形するための第２部分と、
を備え、
前記第２部分には、前記レンズの光軸に沿って延在する側面を有する第１突出部が形成され、
当該第１突出部によって、前記フランジ部の主面には前記保持体によって押圧される側面を有する第２突出部が形成される、金型。
【発明の詳細な説明】
【技術分野】
【０００１】
本発明は、レンズユニット、カメラモジュール、及び金型に関する。
【背景技術】
【０００２】
近年、携帯電話、ノート型パソコン等といった様々な電子機器にはカメラモジュールが組み込まれることが一般的になっている。電子機器にカメラモジュールを組み込み、電子機器に撮像機能を付加することによって、電子機器の更なる高付加価値化を図ることができる。
【０００３】
このようなカメラモジュールにおいては、性能向上、小型化、及び低価格化等といったように様々な開発目標がある。
【０００４】
例えば、特許文献１には、カメラモジュールに含まれるレンズユニットの小型化を図る技術が開示されている。特許文献１では、レンズと鏡筒の双方に形成させた凹部同士を互いに連結させることで、レンズと鏡筒を接着させるための接着剤の保持溝を形成させている。これによって従来必要であったレンズ押さえという別の部材を設ける必要性を排除し、レンズユニットの小型化を図っている。
【特許文献１】特開２００７−３３３９９９号公報
【発明の開示】
【発明が解決しようとする課題】
【０００５】
ところで、レンズを鏡筒に取り付ける手法には、レンズの外形（レンズの上面視形状）を基準としてレンズを鏡筒に嵌めこむ方法が知られている（特許文献１参照）。
【０００６】
しかしながら、レンズは金型成形によって大量生産される部品であり、金型の製造誤差、金型嵌合部分の隙間による偏り、金型の磨耗等に起因して、実際に製造される個々のレンズの形状（特に、レンズの上面視形状）には個々のレンズ間で偏心ばらつきが生じる場合がある。
【０００７】
通常、レンズ成形用の金型は、レンズ部を成形する金型とフランジ部を成形する金型とを別個の金型とする。この場合、金型同士の配置ずれに応じて、光軸に対するレンズ側面（光軸に沿って延在し、レンズの外周を規定する側面）の位置が偏心する場合がある。
【０００８】
このようにレンズの上面視形状（以下、単にレンズの外形と呼ぶこともある）に偏心ばらつきが生じた場合、鏡筒に対するレンズの位置は理想位置からずれる。この状態で鏡筒をカメラモジュールに組み込むと、鏡筒におけるレンズの配置ずれによって、カメラモジュールの解像度が劣化してしまうおそれがある。
【０００９】
本発明は、このような問題点を解決するためになされたものであり、金型により成形されるレンズの外形のばらつきの影響を排除して、保持体（鏡筒）に対してレンズを位置精度良く取り付けることを目的とする。
【課題を解決するための手段】
【００１０】
本発明にかかるレンズユニットは、レンズ部及び当該レンズ部を囲むフランジ部を有するレンズと、前記フランジ部を押圧して前記レンズを保持する保持体と、を備え、前記フランジ部の主面には、前記レンズの光軸に沿って延在する側面を有する突出部が形成され、前記保持体は、前記突出部の前記側面を押圧することで前記レンズを保持する。
【００１１】
保持体は、フランジ部の主面に形成された突出部の側面を押圧してレンズを保持する。レンズ部と突出部を共通の金型部品で成形すれば、両者を高精度で所望の位置に位置決めすることができる。従って、レンズの外形の偏心ばらつきの影響を排除して、保持体に対してレンズを位置精度良く取り付けることができる。
【００１２】
前記保持体は、前記レンズを少なくとも部分的に受け入れる受け部を有し、当該受け部には、前記保持体に対する前記レンズの取り付けに伴って、前記突出部が嵌め込まれる、と良い。
【００１３】
前記レンズ及び前記保持体は、樹脂材料からなる、と良い。
【００１４】
前記側面は、前記レンズ部の外周に亘って形成される、と良い。
【００１５】
前記突出部は、前記フランジ部の物体側の前記主面に形成される、と良い。
【００１６】
複数の前記レンズを備え、前記保持体は、複数の前記レンズ夫々に形成された前記突出部の前記側面を押圧して複数の前記レンズ夫々を保持する、と良い。
【００１７】
前記レンズの上面視形状を規定する前記レンズの側面は、前記保持体から離間している、と良い。
【００１８】
前記レンズ部及び前記突出部は、共通の金型部品によって樹脂が成形される、と良い。
【００１９】
本発明にかかるカメラモジュールは、撮像素子と、レンズ部及びフランジ部を有し、前記撮像素子上に配置されるレンズと、前記フランジ部を押圧して前記レンズを保持する保持体と、を備え、前記フランジ部の主面には、前記レンズの光軸に沿って延在する側面を有する突出部が形成され、前記保持体は、前記突出部の前記側面を押圧することで前記レンズを保持する。
【００２０】
本発明にかかる金型は、保持体による押圧によって前記保持体に保持されるレンズを成形するための固定型又は移動型の金型であって、前記レンズのレンズ部を成形するための第１部分と、前記レンズのフランジ部を成形するための第２部分と、を備え、前記第２部分には、前記レンズの光軸に沿って延在する側面を有する第１突出部が形成され、当該第１突出部によって、前記フランジ部の主面には前記保持体によって押圧される側面を有する第２突出部が形成される。
【発明の効果】
【００２１】
本発明によれば、保持体（鏡筒）に対してレンズを位置精度良く取り付けることができる。
【発明を実施するための最良の形態】
【００２２】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した場合を前提として用いるものとする。
【００２３】
〔第１の実施形態〕
以下、図１乃至４を参照して、本発明の第１の実施形態について説明する。図１は、カメラモジュールの構成を示す概略的な分解斜視図である。図２は、レンズユニットの断面構成を示す概略的な模式図である。図３は、レンズの構成を示す模式図である。図４は、金型の断面構成を示す模式図である。
【００２４】
図１に示すように、カメラモジュール１００は、レンズユニット５０、ホルダー５１、撮像素子５２、配線基板５３、信号処理回路５４、フレキシブル配線５５、及びコネクタ５６を有する。
【００２５】
カメラモジュール１００は、携帯電話又はノートパソコンといった小型電子機器に組み込まれる。カメラモジュール１００は、撮像素子５２で撮像した像をコネクタ５６から電気信号として出力する。
【００２６】
レンズユニット５０は、鏡筒にレンズが取り付けられた光学部品である。レンズユニット５０の外周面にはネジ溝が形成されている。
【００２７】
ホルダー５１は、レンズユニット５０が取り付けられる台座部品である。ホルダー５１は、筒部５１ａ及び基部５１ｂを有する。筒部５１ａの内周面にはネジ溝が形成されている。なお、レンズユニット５０内のレンズの光軸に対応する開口がホルダー５１には形成されている。
【００２８】
ホルダー５１のネジ溝に対してレンズユニット５０のネジ溝を噛み合わせた状態で、レンズユニット５０を回転させることで、レンズユニット５０はホルダー５１に取り付けられる。なお、レンズユニット５０を回転させるジグは、レンズユニット５０の前面に形成された４つの凹部を把持し、この状態でレンズユニットをホルダー５１に対して回転させる。
【００２９】
撮像素子５２は、ＣＣＤ(Charge Coupled Device)、ＣＭＯＳ(Complementary Metal Oxide Semiconductor)といった一般的な撮像素子である。撮像素子５２の撮像面（主面）には複数の画素がマトリクス状に形成されている。撮像素子５２は、ホルダー５１の基部５１ｂに設けられた収納空間に収納される。
【００３０】
配線基板５３は、単層又は複層の配線層を有する板状部材である。貫通電極等を介して上下面の配線は互いに接続される。
【００３１】
信号処理回路５４は、撮像素子５２を制御する半導体集積回路である。例えば、信号処理回路５４は、撮像素子５２に対して信号の蓄積を指示したり、撮像素子５２に蓄積された信号を出力させたりする。また、信号処理回路５４は、撮像素子５２から出力されたアナログ信号をデジタル信号に変換して出力する。
【００３２】
フレキシブル配線５５は、可撓性を有する配線基板である。フレキシブル配線５５の一端には上述の信号処理回路５４が接続され、フレキシブル配線５５の他端にはコネクタ５６が取り付けられる。フレキシブル配線５５は、信号の伝送路として機能する。
【００３３】
コネクタ５６は、カメラモジュール１００を他の電子部品（マザーボード又はドーターボード等）に接続させる。
【００３４】
なお、フレキシブル配線５５上には、信号処理回路５４、配線基板５３、撮像素子５２、ホルダー５１、及びレンズユニット５０がこの順で積層される。また、撮像素子５２、配線基板５３、信号処理回路５４、フレキシブル配線５５、及びコネクタは、この順で電気的に接続されている。カメラモジュール１００の具体的な組み立て手順は任意である。
【００３５】
カメラモジュール１００は、次のように動作する。物体側から入射する像は、レンズユニット５０のレンズを介して撮像素子５２の撮像面に結ばれる。撮像素子５２は、入射した像を電気信号に変換する。信号処理回路５４は、撮像素子５２からの電気信号に対して信号処理（Ａ／Ｄ変換、画像補正処理等）を実行する。信号処理回路５４から出力される電気信号は、フレキシブル配線５５及びコネクタ５６を介して外部の電子機器に接続される。
【００３６】
図２及び図３を参照して、レンズユニット５０の具体的な構成について説明する。
【００３７】
図２に示すように、レンズユニット５０は、レンズ１０及び鏡筒（保持体）２０を有する。レンズ１０は、鏡筒２０に部分的に嵌め込まれ、鏡筒２０により押圧された状態で鏡筒２０により保持される。
【００３８】
レンズ１０は、物体側からの入射光を撮像素子５２の撮像面に結像させる。鏡筒２０は、レンズ１０のフランジ部１４を部分的に押圧してレンズ１０を保持する。レンズ１０は、樹脂（例えば、シクロオレフィンポリマー樹脂（商品名：ゼオネックス  Ｅ４８Ｒ  日本ゼオン製））が金型で成形されることで製造される。鏡筒２０は、樹脂（例えば、ポリカーボネート樹脂（商品名：ユーピロンＳ−３０００Ｒ  三菱エンジニアリングプラスティクス製））が金型で成形されることで製造される。鏡筒２０は、黒色であり、その前面部分は絞りとして機能する。
【００３９】
図２及び３に示すように、レンズ１０は、レンズ部１２及びフランジ部１４を有する。レンズ部１２は、光学的に機能する部分である。フランジ部１４は、レンズ１０を鏡筒２０に取り付けるための部分である。
【００４０】
レンズ部１２は、互いに対向するレンズ面１２ａ及びレンズ面１２ｂを有する。レンズ面１２ａは物体側のレンズ面であり、レンズ面１２ｂは撮像素子側のレンズ面である。なお、レンズ面１２ａは凹状であり、レンズ面１２ｂは凸状である。
【００４１】
フランジ部１４は、レンズ部１２の周りに形成される。フランジ部１４は、光軸ＡＸから離間するに従って肉厚が薄くなる。つまり、フランジ部１４は、肉厚Ｗ３の内周部１４ａ、肉厚Ｗ２の中間部１４ｂ、及び肉厚Ｗ１の外周部１４ｃを有する（但し、Ｗ３＞Ｗ２＞Ｗ１である）。内周部１４ａ、中間部１４ｂ、及び外周部１４ｃは、いずれもレンズ面１２ａを囲むように形成されている。
【００４２】
内周部１４ａの前面（物体側の主面）は、中間部１４ｂの前面よりも物体側にある。内周部１４ａには、中間部１４ｂの前面から物体側へ突出する突出部１５が形成される。なお、内周部１４ａと中間部１４ｂの間には、縁１６ａが形成される。
【００４３】
突出部１５は、レンズ１０の光軸ＡＸに平行な側面１７が形成される。側面１７は、レンズ１０の光軸ＡＸに沿って延在する。また、側面１７は、レンズ部１２の外周に亘る範囲で形成されている。
【００４４】
中間部１４ｂの前面は、外周部１４ｃの前面よりも物体側にある。中間部１４ｂの前面と外周部１４ｃの前面間にはスロープが形成される。中間部１４ｂと外周部１４ｃの境界は、異なる金型の境界部分に位置する（図４参照）。中間部１４ｂと外周部１４ｃの肉厚を上述のように設定することによって、金型の境界部分に形成されやすいバリ等によってレンズの配置位置がずれることを効果的に抑制することができる。
【００４５】
外周部１４ｃには、レンズ１０の外形を規定する側面１８が形成される。外周部１４ｃの前面と外周部１４ｃの側面１８間には縁１６ｂが形成される。
【００４６】
図２及び図３に示すように、鏡筒２０は、平板部２２及び筒部２３を有する。
【００４７】
平板部２２は、レンズ１０の光軸ＡＸに対応する開口ＯＰ１を有する。平板部２２は、レンズ１０の光軸ＡＸから離間するに従って肉厚が厚くなる。具体的には、平板部２２は、肉厚Ｗ１０の内周部２２ａ、及び肉厚Ｗ１１の外周部２２ｂを有する（但し、Ｗ１１＞Ｗ１０である）。
【００４８】
内周部２２ａの内端は、光軸ＡＸに向かって肉厚が次第に薄くなる（換言すると、内周部２２ａは、光軸ＡＸに向かって肉厚が次第に薄くなる先端部を有する）。平板部２２の内周部２２ａによってレンズ１０の開口径が設定される。平板部２２は、レンズ１０に対して光学的に絞りとして機能する。
【００４９】
外周部２２ｂの背面（撮像素子側の主面）は、内周部２２ａの背面よりも撮像素子側へ突出している。外周部２２ｂには、内周部２２ａの背面から撮像素子側へ突出する突出部２４が形成される。なお、内周部２２ａと外周部２２ｂの間には、縁２６が形成される。
【００５０】
突出部２４は、レンズ１０の光軸ＡＸに平行な側面２５が形成される。側面２５は、レンズ１０の光軸ＡＸに沿って延在する。
【００５１】
突出部２４の側面２５は光軸ＡＸを中心として輪状に延在する。突出部２４の側面２５における互いに対向する部分の間にはレンズ１０を受け入れる空間が形成される。換言すると、突出部２４によって、レンズ１０を受け入れるための受け部が鏡筒２０に形成される。鏡筒２０に形成された受け部には、レンズ１０の突出部１５が嵌め込まれる。
【００５２】
なお、レンズ１０の突出部１５の外周幅（図２（ｂ）の幅Ｗ３０）は、鏡筒２０に形成された受け部の受け幅（図２（ｃ）の幅Ｗ３１）よりも１０μｍ程度長い。従って、レンズ１０の突出部１５を鏡筒２０に形成された受け部に圧入されることで、鏡筒２０に押圧された状態でレンズ１０を鏡筒２０に保持させることができる。
【００５３】
鏡筒２０は、フランジ部１４に対する押圧によってレンズ１０を保持する。レンズ１０が鏡筒２０の受け部に嵌め込まれたとき、突出部１５の側面１７と突出部２４の側面２５とは互いに直接的に接触している。
【００５４】
筒部２３は、レンズ１０の光軸ＡＸに沿って延在する筒状部材である。筒部２３の外周面には上述のネジ溝が形成される。尚、鏡筒２０に光硬化型等の接着剤を用いてレンズ１０を接着させても良い。
【００５５】
図３を参照してレンズ１０の成形工程について説明する。
【００５６】
図３に示すように、レンズ１０は、上型金型３０ａ〜３０ｃ、下型金型３１ａ〜３１ｃによって成形される。ここでは、下型金型は移動型であり、上型金型は固定型である。
【００５７】
レンズ１０は、図３に示すように上型金型と下型金型を互いの対向面同士を当接させた状態で、樹脂を金型により形成される空間に注入し、これを硬化させることで成形される。レンズ１０を成形する装置の具体的な構成は任意である。レンズ１０は通常の成形装置により通常の製造手順に従って製造される。
【００５８】
上型金型３０ａと下型金型３１ａによって、レンズ１０のレンズ部１２とフランジ部１４の一部（内周部１４ａ、中間部１４ｂ）が形成される。上型金型３０ｂと下型金型３１ｂによって、フランジ部の外周部１４ｃが形成される。上型金型３０ｃと下型金型３１ｃによって、フランジ部の外周部１４ｃが形成される。なお、下型金型３１ｃには、樹脂を移送するための通路が形成される。なお、この通路に応じて、レンズにはゲートが接続される。レンズに接続されたゲートは、この工程後に切削機械によって切り落とされる。
【００５９】
上述の説明から明らかなように、本実施形態においては、突出部１５とレンズ部１２は互いに共通の金型で成形される。共通の金型により成形されることで、突出部１５とレンズ部１２間の配置間隔は所望の間隔に設定される。そして、突出部１５は、光軸ＡＸに対して所望の位置に位置決めされる。鏡筒２０は、レンズ１０の突出部１５の側面１８を押圧し、これによってレンズ１０を保持する。上述のように突出部１５は光軸ＡＸに対して所望の位置に位置決めされているため、突出部１５の側面１７を鏡筒２０に押圧させることで、位置精度良く鏡筒２０にレンズ１０を取り付けることができる。そして、レンズモジュール５０の光学的特性が個々の製品間でばらつくことが抑制される。
【００６０】
冒頭で説明したように、レンズは金型成形によって大量生産される部品であり、個々のレンズの外形（レンズの前面視形状）に偏心ばらつきが生じる場合がある。図４に場合、フランジ部の外周部１４ｃは、フランジ部１４の他の部分（内周部１４ａ、中間部１４ｂ）とは異なる金型によって成形される。このような場合、上型金型３０ａ、３１ａに対する上型金型３０ｂ、３１ｂ、３０ｃ、３１ｃの配置ずれ等の要因によって、光軸ＡＸに対するレンズ１０の外形を規定する側面の距離が変動する場合がある。このような場合、従来のように、レンズ１０の外形を基準としてレンズを鏡筒に嵌め込む場合には、鏡筒に対して位置精度良くレンズ１０を嵌め入れることができず、レンズユニット５０の光学的な特性が劣化してしまう場合がある。
【００６１】
本実施形態では、この点に鑑みて、レンズ１０の外形のばらつきの影響を排除するため、レンズ１０の側面１８を鏡筒２０に押圧させるのではなく、レンズ１０に突出部１５を形成し、この突出部１５の側面１７を鏡筒２０に押圧させる。このようにして、レンズ１０の外形のばらつきの影響を排除し、高い精度を持って鏡筒２０にレンズ１０を取り付けることができる。これによって、カメラモジュール１００の解像度特性のばらつきを効果的に抑制することができる。
【００６２】
〔第２の実施形態〕
以下、図５及び６を参照して、本発明の第２の実施形態について説明する。図５は、レンズユニットの断面構成を示す概略的な模式図である。図６は、金型の断面構成を示す模式図である。
【００６３】
本実施形態においては、鏡筒７０は、遮光シート６７を挟んで積層させられた２枚のレンズ４０、６０を保持する。各レンズ４０、６０には、第１の実施形態と同様の突出部１５が形成されている。鏡筒７０は、各レンズ４０、６０の突出部１５の側面を押圧し、これによって各レンズ４０、６０を保持する。各レンズ４０、６０のレンズ部と突出部とは互いに共通の金型によって成形される。従って、本実施形態の場合も、第１の実施形態と同様の効果を得ることができる。また、レンズ４０とレンズ６０の相対的な位置関係も精度良く確保することができる。
【００６４】
図５に示すように、レンズ４０は、第１の実施形態におけるレンズ１０と略同様の構成を有する。但し、レンズ面４２ａは、物体側に向かって凸状に形成される。レンズ面４２ｂは、撮像素子側から見て、凹上に形成される。また、符号の対応関係は次のとおりである。レンズ部４２は、レンズ部１２に対応する。フランジ部４４は、フランジ部１４に対応する。内周部４４ａは、内周部１４ａに対応する。中間部４４ｂは、中間部１４ｂに対応する。外周部４４ｃは、外周部１４ｃに対応する。
【００６５】
遮光シート６７は、レンズ４０及びレンズ６０の光軸ＡＸに対応した位置に形成された開口ＯＰ２を有する。遮光シート６７は、レンズ４０を介して入射する光の光路を規制する絞りとして機能する。なお、遮光シート６７は、黒色樹脂等で形成される。
【００６６】
レンズ６０は、第１の実施形態におけるレンズ１０と略同様の構成を有する。但し、レンズ部６２と内周部６４ａ間には、肉厚Ｗ４の第２内周部６４ｄが形成される。符号の対応関係は次のとおりである。レンズ部６２は、レンズ部１２に対応する。フランジ部６４は、フランジ部１４に対応する。内周部（第１内周部）６４ａは、内周部１４ａに対応する。中間部６４ｂは、中間部１４ｂに対応する。外周部６４ｃは、外周部１４ｃに対応する。
【００６７】
鏡筒７０は、第１の実施形態における鏡筒２０と略同様の構成を有する。但し、遮光シート６７及びレンズ６０の追加に伴って、鏡筒７０の具体的な構造は変形している。例えば、筒部７３の内側面には、遮光シート６７を保持するためのスロープ７４が形成される。
【００６８】
なお、符号の対応関係は次のとおりである。平板部７２は、平板部２２に対応する。筒部７３は、筒部２３に対応する。内周部７２ａは、内周部２２ａに対応する。外周部７２ｂは、外周部２２ｂに対応する。
【００６９】
図５から明らかなように、レンズ６０は、鏡筒７０の下端部分によって形成される受け部に収納される。レンズ６０は、この受け部に嵌め込まれることによって、鏡筒７０によって押圧された状態で鏡筒７０により保持される。
【００７０】
図６（ａ）に示すように、レンズ４０は、上型金型３２ａ〜３２ｃ、３３ａ〜３３ｃによって樹脂が成形されることで製造される。この場合も、第１の実施形態と同様に、上型金型３２ａと下型金型３３ａによって、レンズ４０のレンズ部４２とフランジ部４４の一部（内周部４４ａ、中間部４４ｂ）が形成される。上型金型３２ｂと下型金型３３ｂによって、フランジ部の外周部４４ｃが形成される。上型金型３２ｃと下型金型３３ｃによって、フランジ部の外周部４４ｃが形成される。なお、下型金型３３ｃには、樹脂を移送するための通路が形成される。
【００７１】
図６（ｂ）に示すように、レンズ６０は、上型金型３４ａ〜３４ｃ、３５ａ〜３５ｃによって樹脂が成形されることで製造される。この場合も、第１の実施形態と同様に、上型金型３４ａと下型金型３５ａによって、レンズ６０のレンズ部６２とフランジ部６４の一部（第２内周部６４ｄ、第１内周部６４ａ、中間部６４ｂ）が形成される。上型金型３４ｂと下型金型３５ｂによって、フランジ部の外周部６４ｃが形成される。上型金型３４ｃと下型金型３５ｃによって、フランジ部の外周部６４ｃが形成される。なお、下型金型３５ｃには、樹脂を移送するための通路が形成される。
【００７２】
本実施形態においては、本実施形態の冒頭で説明したように、第１の実施形態と同様の効果を得ることができる。また、レンズを積層させることによって、例えば、収差を低減し解像度を向上させることができる。
【００７３】
〔第３の実施形態〕
以下、図７を参照して、本発明の第３の実施形態について説明する。図７は、レンズユニットの断面構成を示す概略的な模式図である。
【００７４】
本実施形態においては、レンズ６０は鏡筒７０の内部に収納される。このような場合であっても、第１の実施形態と同様の効果を得ることができる。なお、レンズ６０を鏡筒７０に収納させることで、レンズユニット５０のカメラモジュール１００への取り付けを安全に実行することができる。
【００７５】
図７に示すレンズ４０、遮光シート６７、レンズ６０は、第２の実施形態におけるものと同じ構成を有する。図７に示す鏡筒７６は、第２の実施形態における鏡筒７０とは異なる構成を有する。
【００７６】
図７に示すように、鏡筒７６の筒部７３は、下端側に向かって肉厚が狭くなる。すなわち、筒部７３は、肉厚Ｗ２０の胴部７３ａ、及び肉厚Ｗ２１の下端部７３ｂを有する。胴部７３ａの内側面は、レンズ６０の突出部１５の側面に直接的に接触している。他方、下端部７３ｂの内側面は、レンズ６０（レンズ６０の外形を規定する側面）には接触していない。
【００７７】
〔第４の実施形態〕
以下、図８及び９を参照して、本発明の第４の実施形態について説明する。図８は、レンズユニットの断面構成を示す概略的な模式図である。図９は、金型の断面構成を示す模式図である。
【００７８】
本実施形態においては、鏡筒７７は、遮光シート６７、６８を挟んで順次積層させられた３枚のレンズ４０、６０、８０を保持する。各レンズ４０、６０、８０には、第１の実施形態と同様の突出部１５が形成されている。鏡筒７０は、各レンズ４０、６０、８０の突出部１５の側面を押圧し、これによって各レンズ４０、６０、８０を保持する。各レンズ４０、６０、８０のレンズ部と突出部とは互いに共通の金型によって成形される。従って、本実施形態の場合も、第１の実施形態と同様の効果を得ることができる。
【００７９】
図８に示すレンズ４０、遮光シート６７、レンズ６０は、第３の実施形態におけるものと同じ構成を有する。図８に示す鏡筒７７は、第３の実施形態における鏡筒７６とは異なる構成を有する。
【００８０】
図８に示すように、筒部７３は、第３の実施形態と同様に、下端側に向かって肉厚が狭くなる。ここでは、レンズ８０の追加に伴って、筒部７３は、肉厚Ｗ２０の胴部７３ａ、肉厚Ｗ２１の第１下端部７３ｂ、及び肉厚Ｗ２２の第２下端部７３ｃを有する。第１下端部７３ｂと第２下端部７３ｃの間には、遮光シート６８を保持するためのスロープ７４ｂが形成される。
【００８１】
レンズ８０の構成は、レンズ６０と略同様の構成を有する。但し、レンズ面８２ａは、光軸ＡＸに向かって次第に物体側に向かう凸状に形成される。レンズ面８２ｂは、光軸ＡＸに向かって次第に、撮像素子側から離間する凹状に形成される。
【００８２】
符号の対応関係は次のとおりである。レンズ部８２は、レンズ部６２に対応する。フランジ部８４は、フランジ部６４に対応する。内周部（第１内周部）８４ａは、内周部６４ａに対応する。中間部８４ｂは、中間部６４ｂに対応する。外周部８４ｃは、外周部６４ｃに対応する。第２内周部８４ｄは、第２内周部６４ｄに対応する。
【００８３】
図９に示すように、レンズ８０は、上型金型３６ａ〜３６ｃ、３７ａ〜３７ｃによって樹脂が成形されることで製造される。この場合も、第１の実施形態と同様に、上型金型３６ａと下型金型３７ａによって、レンズ８０のレンズ部８２とフランジ部８４の一部（第２内周部８４ｄ、第１内周部８４ａ、中間部８４ｂ）が形成される。上型金型３６ｂと下型金型３７ｂによって、フランジ部の外周部８４ｃが形成される。上型金型３６ｃと下型金型３７ｃによって、フランジ部の外周部８４ｃが形成される。なお、下型金型３７ｃには、樹脂を移送するための通路が形成される。
【００８４】
本実施形態においては、本実施形態の冒頭で説明したように、第１の実施形態と同様の効果を得ることができる。また、レンズを積層させることによって、、例えば、収差を低減し解像度を向上させることができる。
【００８５】
〔第５の実施形態〕
以下、図１０を参照して、本発明の第５の実施形態について説明する。図１０は、レンズユニットの断面構成を示す概略的な模式図である。
【００８６】
本実施形態においては、第１の実施形態とは異なり、突出部１５の側面１７は、物体側に向かって光軸ＡＸ寄りに傾斜している。鏡筒２０は、突出部１５の側面１７を押圧し、これによってレンズ１０を保持する。このような場合であっても第１の実施形態と同様の効果を得ることができる。
【００８７】
本発明の技術的範囲は上述の実施形態に限定されない。レンズユニット、カメラモジュールが組み込まれる本体機器は様々である。鏡筒によって保持されるレンズの具体的な形状は任意である。レンズを保持する保持体は鏡筒のように筒状である必要はなく、他の筐体と一体成形されていても良い。カメラモジュール、レンズユニットの製造方法は任意である。
【図面の簡単な説明】
【００８８】
【図１】本発明の第１の実施形態にかかるカメラモジュールの構成を示す概略的な分解斜視図である。
【図２】本発明の第１の実施形態にかかるレンズユニットの断面構成を示す概略的な模式図である。
【図３】本発明の第１の実施形態にかかるレンズの構成を示す模式図である。
【図４】本発明の第１の実施形態にかかる金型の断面構成を示す模式図である。
【図５】本発明の第２の実施形態にかかるレンズユニットの断面構成を示す概略的な模式図である。
【図６】本発明の第２の実施形態にかかる金型の断面構成を示す模式図である。
【図７】本発明の第３の実施形態にかかるレンズユニットの断面構成を示す概略的な模式図である。
【図８】本発明の第４の実施形態にかかるレンズユニットの断面構成を示す概略的な模式図である。
【図９】本発明の第４の実施形態にかかる金型の断面構成を示す模式図である。
【図１０】本発明の第５の実施形態にかかるレンズユニットの断面構成を示す概略的な模式図である。
【符号の説明】
【００８９】
１００    カメラモジュール
ＡＸ    光軸
ＯＰ１    開口
ＯＰ２    開口
１０    レンズ
１２    レンズ部
１４    フランジ部
１５    突出部
１７    側面
２０    鏡筒（保持体）
２２    平板部
２３    筒部
２４    突出部
２５    側面
２６    縁
【図１】
2009229589.tif 000003
【図２】
2009229589.tif 000004
【図３】
2009229589.tif 000005
【図４】
2009229589.tif 000006
【図５】
2009229589.tif 000007
【図６】
2009229589.tif 000008
【図７】
2009229589.tif 000009
【図８】
2009229589.tif 000010
【図９】
2009229589.tif 000011
【図１０】
2009229589.tif 000012